(57)【要約】      （修正有）【課題】暴露防止具付キャビネットの排気路の汚染を抑制する、暴露防止具の提供。【解決手段】本発明は、安全キャビネット１０等の作業室３に設置して、薬剤や有機溶剤の調製を行う際に使用する暴露防止具１である。暴露防止具１は、前縁吸引口５１ａと暴露防止具用吸引口６とを前後に仕切るように立設される透明な遮蔽板１１と、遮蔽板１１の下端から後方へ延出するとともに厚み方向に貫通する吸込み口を有する支持板１２と、吸込み口の周縁において、支持板１２から下方へ延出する有底筒状の吸込み部１３とを備え、吸込み部の側壁に排気口１３ｄが設けられている。【選択図】図１
2020028818.tif 000002
【特許請求の範囲】
【請求項１】
前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットの前記作業室に設置して、薬剤や有機溶剤の調製を行う際に使用可能な暴露防止具であって、
前記前縁吸引口と前記暴露防止具用吸引口とを前後に仕切るように立設される透明な遮蔽板と、
前記遮蔽板の下端から後方へ延出するとともに厚み方向に貫通する吸込み口を有する支持板と、
前記吸込み口の周縁において、前記支持板から下方へ延出する有底筒状の吸込み部と
を備え、
前記吸込み部の側壁に排気口が設けられていることを特徴とする暴露防止具。
【請求項２】
前記吸込み口を開閉するシート交換扉を備える請求項１に記載の暴露防止具。
【請求項３】
前記シート交換扉は、前記支持板に連結されて、前記吸込み口を閉じる水平姿勢と、前記吸込み口を開放する跳ね上げ姿勢との間で回動可能に構成され、水平姿勢において前記吸込み部の底壁に載置した保護シートを押さえるべく内面から突出するシート押さえを備える請求項２に記載の暴露防止具。
【請求項４】
前記遮蔽板は、前記遮蔽板の後方を覗くための拡大鏡を備える請求項１から請求項３のいずれか１項に記載の曝露防止具。
【請求項５】
前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から前記作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットと、
前記暴露防止用キャビネットの前記作業室に設置して、薬剤や有機溶剤の調製を行う際に使用可能な暴露防止具と
を備え、
前記暴露防止具は、前記前縁吸引口と前記暴露防止具用吸引口とを前後に仕切るように立設される透明な遮蔽板と、前記遮蔽板の下端から後方へ延出するとともに厚み方向に貫通する吸込み口を有する支持板と、前記吸込み口の周縁において、前記支持板から下方へ延出する有底筒状の吸込み部とを備え、前記吸込み部の側壁に排気口が設けられていることを特徴とする暴露防止具付キャビネット。
【発明の詳細な説明】
【技術分野】
【０００１】
この発明は、抗癌剤の調製に用いる安全キャビネットや毒性の高い有機溶剤の取り扱いに用いる局所排気装置等の作業室内に付設して、抗癌剤や有機溶剤等による暴露事故を抑制する暴露防止具、及びこれを備えた暴露防止具付キャビネットに関する。
【背景技術】
【０００２】
近年、開放型の安全キャビネットや局所排気装置では、作業用開口部を気流でシールドするだけでは、抗癌剤や有機溶剤等を調製する際の暴露事故を十分に防止できない可能性が指摘されている。
【０００３】
そこで、本発明者は、先に特許文献１において、かかる作業を行う際に安全キャビネットや局所排気装置の作業室に設置して用いる暴露防止箱を提案している。特許文献１の暴露防止箱は、箱の内部に設置したバイアルに対し、箱の天壁に設けた貫通孔（充填具挿入口）からシリンジを刺し込んで、箱の内部でシリンジの針をバイアルの蓋に刺し込むようにしたもので、この際漏れ出た薬剤は、箱の下部に設けた排気口から作業室の下部空間へ吸引するようにしている。
【０００４】
ところが、特許文献１の暴露防止箱は、暴露事故を防止するという観点では大きな効果を有するものの、扉を開閉してバイアルを１つずつ箱の中にセットしなければならないため、多数回連続して薬剤の調製を行う場合には、扉の開閉等に手間がかかって、当該暴露防止箱を用いない場合に比べると、作業効率が悪いという課題があった。
【０００５】
そこで、本発明者は、未公開ではあるが、図９に示した暴露防止具について特許出願を行っている（特願２０１８−０５１１３４）。図９の暴露防止具９０１は、安全キャビネットの作業台に載置する支持板９１１と、支持板９１１の前縁に垂設される透明な遮蔽板９１２のみにより構成され、遮蔽板９１２の両側から後ろへ手を回すだけで抗癌剤等の調製作業ができるようにしたものである。
【先行技術文献】
【特許文献】
【０００６】
【特許文献１】特許第６２５１８３９号公報
【発明の概要】
【発明が解決しようとする課題】
【０００７】
しかし、日本病院薬剤師会の薬剤調整マニュアル等、医療施設での抗癌剤の調製を規定したマニュアルには、一般に、安全キャビネットの作業台に保護シートを敷くことが義務づけられており、図９の暴露防止具９０１では、安全キャビネット９１０の作業台９０５に設けた暴露防止具用吸引口９０６の底となるパンチングボード９６１の穿孔から排気を行うため、その上に保護シートを敷くことができず、薬液の飛沫やこぼれた薬液で作業台９０５の排気路を汚してしまうという課題が有る。
本発明は、上記課題に鑑みてなされたものであり、安全キャビネットや局所排気装置等の暴露防止用キャビネットの排気路の汚染を抑制可能な暴露防止具、及び暴露防止具付キャビネットの提供を目的とする。
【課題を解決するための手段】
【０００８】
上記の課題を解決するためになされた発明は、前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットの前記作業室に設置して、薬剤や有機溶剤の調製を行う際に使用可能な暴露防止具である。
本発明の暴露防止具は、前記前縁吸引口と前記暴露防止具用吸引口とを前後に仕切るように立設される透明な遮蔽板と、前記遮蔽板の下端から後方へ延出するとともに厚み方向に貫通する吸込み口を有する支持板と、前記吸込み口の周縁において、前記支持板から下方へ延出する有底筒状の吸込み部とを備え、前記吸込み部の側壁に排気口が設けられていることを特徴とする。
【０００９】
本発明の暴露防止具は、このように、有底筒状の吸込み部の側壁に設けた排気口から暴露防止用キャビネットの作業室から吸引した空気を作業台の下部空間へ排気するので、吸込み部の底壁に保護シートを敷設できる。
【００１０】
本発明の暴露防止具は、前記吸込み口を開閉するシート交換扉を備えることが好ましい。こうすることで、上方で抗癌剤や有機溶剤の調製をしている際に、薬剤の飛沫やこぼれた液体が吸込み部内部へ落下することを抑制できる。
【００１１】
前記シート交換扉は、前記支持板に連結されて、前記吸込み口を閉じる水平姿勢と、前記吸込み口を開放する跳ね上げ姿勢との間で回動可能に構成され、水平姿勢において前記吸込み部の底壁に載置した保護シートを押さえるべく内面から突出するシート押さえを備えることが好ましい。こうすることで、排気口から排気される空気の流れにより、保護シートが捲れることを抑制できる。
【００１２】
前記遮蔽板は、前記遮蔽板の後方を覗くための拡大鏡を備えることが好ましい。こうすることで、バイアル等に記載された文字やシリンジの目盛等を拡大して見ることができるため、作業の途中でバイアルやシリンジを見るために遮蔽板の手前側に出してしまうことによる暴露事故を抑制できる。
【００１３】
本発明は、前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から前記作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットと、前記暴露防止用キャビネットの前記作業室に設置して、薬剤や有機溶剤の調製を行う際に使用可能な暴露防止具とを備え、前記暴露防止具は、前記前縁吸引口と前記暴露防止具用吸引口とを前後に仕切るように立設される透明な遮蔽板と、前記遮蔽板の下端から後方へ延出するとともに厚み方向に貫通する吸込み口を有する支持板と、前記吸込み口の周縁において、前記支持板から下方へ延出する有底筒状の吸込み部とを備え、前記吸込み部の側壁に排気口が設けられていることを特徴とする暴露防止具付キャビネットを含む。
【発明の効果】
【００１４】
以上説明したように、本発明の暴露防止具、及び暴露防止具付キャビネットによれば、暴露防止具付キャビネットの排気路の汚染を抑制できる。
【図面の簡単な説明】
【００１５】
【図１】本発明の一の実施形態に係る暴露防止具付キャビネットの作業室周辺を示した部分斜視図である。
【図２】図１に示した暴露防止具の正面図である。透明部材を通して見える部材は、細線により示す。
【図３】図１に示した暴露防止具の平面図である。
【図４】図１に示した暴露防止具の背面図である。
【図５】図２におけるX−X線断面図である。
【図６】図１に示した取付け体の（ａ）平面図、（ｂ）右側面図、（ｃ）背面図である。
【図７】図1に示した暴露防止具を安全キャビネットの作業板に取り付けた様子を示す側面視断面図である。
【図８】図１に示した暴露防止具付キャビネットの作業室周辺を示した側面視断面図である。
【図９】本発明者の先行出願に係る暴露防止具付キャビネットの部分斜視図である。
【発明を実施するための形態】
【００１６】
以下、適宜図面を用いながら本発明の実施形態について詳述する。尚、本発明は、以下の実施形態に限られるものではない。
【００１７】
図１は、本発明の一の実施形態に係る暴露防止具付キャビネット１００を示している。暴露防止具付キャビネット１００は、図１に示すように、安全キャビネット（暴露防止用キャビネット）１０と、暴露防止具１とを備えている。
【００１８】
安全キャビネット１０は、日本工業規格ＪＩＳＫ３８００におけるバイオハザード対策用クラスIIキャビネットの分類Ｂ２に属する開放型・全排気型に構成された安全キャビネットである。
安全キャビネット１０は、シャッター２と、作業室３と、作業室３の前方に開口する作業用開口部４とを備え、作業用開口部４は、作業室３の底壁からなる作業台５の前端部に設けられるグレーチング５１の前縁吸引口５１ａから、作業室３の空気と作業用開口部４から流入した空気を吸引して設けた気流により、エアシールドされている。
作業台５は、前縁吸引口５１ａより後方において、厚み方向に貫通する略正方形の貫通孔からなる暴露防止具用吸引口６を有している。
また、作業室３の後壁５２には、下端縁に沿って、作業室の空気を作業室後方の排気路８（図８参照）に吸引する後壁吸引口５２ａが列設されている。
【００１９】
作業台５には、暴露防止具用吸引口６が、１個、又は複数個（図１の例では、２個）設けられている。暴露防止具用吸引口６は、図１に示すように、蓋板６１と、作業台５を貫通する平面視略正方形の開口６２と、開口６２に内部空間を連通する取付け体６３を備えている。開口６２の周縁には、図７に示すように、作業台５の下面に４本のスタッドボルト６４がスポット溶接されている。
【００２０】
取付け体６３は、図６、図７に示すように、上方（図７の上方）に開口した直方体の箱状をなす箱体部６３１と箱体部６３１の上縁からに外方へ延出する鍔部６３２とからなる。箱体部６３１は、前壁６３１ａ、左右の側壁６３１ｂ，６３１ｂ、及び底壁６３１ｃが、ねじ孔を除き全面に孔の無い壁からなる一方で、後壁６３１ｄは、多数の排気口６３１ｅを備えたパンチングボードからなる。取付け体６３は、鍔部６３２のボルト孔６３２ｂをスタッドボルト６４に差し込んで作業台５の下面にナットで固定される。底壁６３１ｃには、４つの雌ねじ孔６３１ｆが設けられている。
【００２１】
暴露防止具１は、図１〜図５に示すように、安全キャビネット１０の作業室３に設置した際に、前縁吸引口５１ａ，５１ａ，…と、暴露防止具用吸引口６との前後方向の間において、略鉛直に、かつ厚み方向を前後方向として立設される遮蔽板１１と、遮蔽板１１の下端から後方へ略水平に延出する板状をなす支持板１２と、支持板１２から下方へ延出する吸込み部１３と、吸込み部１３を覆うシート交換扉１４と、吸込み口１２ａの側方において支持板１２上に載置されるバイアル台１６とを備えている。暴露防止具１は、全体をポリカーボネート等の透明樹脂製としてもよいし、遮蔽板１１が透明樹脂製であれば、他の部分は金属製の板としてもよい。
【００２２】
遮蔽板１１は、正面視矩形の板状をなしている。遮蔽板１１は、図１に２点鎖線で示すように、安全キャビネット１０の作業用開口部４から作業室３に両手を入れた作業者が、両側から後へ両手を回して、遮蔽板１１の後側で両手を使って、バイアルやアンプルにシリンジの針やピペットの先端を挿入できるような幅や位置に設けられる。遮蔽板１１は、図７に符号１１ａで示した様に、フレネルレンズ等の拡大鏡を設けてもよい。薬剤の調整作業の途中で、バイアルの文字やシリンジの目盛が見えにくいときは、遮蔽板の手前側にバイアルやシリンジを移動する必要が生じると考えられるが、遮蔽板に拡大鏡を設けることで、バイアル等に記載された文字やシリンジの目盛等を拡大して見ることができ、調整バイアルやシリンジを遮蔽板の手前側に出す必要がなくなる。
【００２３】
支持板１２は、遮蔽板１１の下縁から後方へ延出する矩形の板状をなし、前側（図３の左側）にシート露出用開口部１２ａが設けられ，後側に吸込み口１２ｂが設けられている。また、支持板１２の上面には、左右の両端縁に沿って一対のリブ１５ａ，１５ａが、シート露出用開口部１２ａの左右の端縁に沿って一対のリブ１５ｂ，１５ｂが、後端縁に沿ってリブ１５ｄがそれぞれ垂設されている。
【００２４】
吸込み部１３は、吸込み口１２ｂの前縁、及び左右の側縁からそれぞれ下方へ延出するよう設けた帯板状の前壁１３ａ，及び左右の側壁１３ｂ，１３ｂと、下方を塞ぐ底壁１３ｃと、後方に開口する排気口１３ｄ（図５参照）とを備えている。排気口１３ｄは、取付け体６３の後壁（パンチングボード）６３１ｄの排気口６３１ｅに連通する。底壁１３ｃには、４つのねじ挿通孔１３ｅが設けられている。
【００２５】
シート交換扉１４は、水平姿勢において下方に開口した扁平直方体の箱形をなし、後板１４ｄが蝶番１４ｅによりリブ１５ｄに連結されて、吸込み部１３の上方の空間を開閉する。シート交換扉１４は、後板１４ｄ、及び左右の側板１４ｃ，１４ｃが同じ幅に設けられ、前板１４ｂは、これらよりやや細幅に設けられており、吸込み部１３の上部空間を閉塞する閉塞姿勢において、天板１４ａが、平面視で吸込み部１３を完全に覆い、左右の側板１４ｃ，１４ｃは、下縁がリブ１５ａ，１５ａの上縁に当接するとともに、前板１４ｂの下縁と、支持板１２の上面との間に間隙１８が生ずるよう構成されている。
また、天板１４ａの内面には、台形のシート押さえ板１４ｆが設けられている。
【００２６】
バイアル台１６は、図５に示すように、長方形の幅方向（図５の上下方向）の両端縁に、大きさの異なる半円状の凹部１６ａ，１６ｂが設けられている。バイアル台１６は、幅方向を上下方向とし、かつ凹部１６ａ，１６ｂをシート露出用開口部１２ａの側方に配し、リブ１５ｂにあてがう様に支持板１２に載置される。尚、バイアル台は、バイアルやアンプルなどを固定して、シリンジ操作を容易にするためのもので、作業者の熟練度が高い場合、バイアル台を使用せずに調整作業を行うことも想定されるため、省略してもよい。
【００２７】
次に、暴露防止具付キャビネット１００を用いて、薬剤の調製を行う際の手順と各部の作用効果について説明する。
暴露防止具付キャビネット１００を用いて薬剤の調製を行う際には、まず、安全キャビネット１０の空調システム（不図示）を駆動したのち、図１、図７に示したように、暴露防止具用吸引口６の手前側において、作業台５の上に保護シートＣを敷設する。続けて、蓋板６１を取り外して暴露防止具用吸引口６を開放し、暴露防止具１を設置する。暴露防止具１は、図７に示すように、吸込み部１３を暴露防止具用吸引口６の取付け体６３へ刺し込み、吸込み部１３の底壁１３ｃを取付け体６３の底壁６３１ｃにねじ固定して設置する。保護シートＣは、支持板１２の下敷きになり、一部がシート露出用開口部１２ａから露出する。
尚、暴露防止具１は、暴露防止具用吸引口６に設置した際に、支持板１２と作業板５の間に隙間が生じるように設けられるため、暴露防止具１を暴露防止具用吸引口６に設置した後に、保護シートＣを敷くこともできる。
【００２８】
バイアル台１６は、使用する薬剤密封容器Ａ（バイアルやアンプル等）の外径が大きい場合は、図５に示すように、径の大きな凹部１６ａを上側にし、薬剤密封容器Ａの外径が小さい場合は、図７に示すように、径の小さい凹部１６ｂを上側にして使用する。
【００２９】
暴露防止具１を設置したら、図１、図７に示すように、シート交換扉１４を開いて，吸込み部１３の底壁１３ｃ上に、保護シートＤを敷設する。シート交換扉１４を閉じ、シート押さえ板１４ｆで、保護シートＤを押さえつける。
吸込み部１３、及び取付け体６３は、それぞれ後方に排気口１３ｄ、排気口６３１ｅを有し、底壁１３ｃ，底壁６３１ｃには、排気口を有さないので、底壁１３ｃ上に保護シートＤを敷くことができる。
【００３０】
図７、図８において、白抜き矢印は、作業室３における空気の流れを示している。作業用開口部４から作業室３に流入した空気は、作業室３の天壁（不図示）からの給気と共に、前縁吸引口５１ａから下部空間７に吸引される。作業室３の後部の空気は、後壁吸引口５２ａから排気路８へ吸引される。暴露防止具１の上方から下降する空気は、間隙１８、吸込み口１２ｂ、及び排気口１３ｄ（パンチングボードの排気口６３１ｅ）を介して下部空間７へ吸引される。
【００３１】
この状態で、図１に示すように、一方の手（図１の例では左手）に薬剤密封容器Ａを握り、他方の手にシリンジＢを掴んで、遮蔽板１１の両側からその後方に両手を回す。
このように、遮蔽板１１は、作業者が左右両側から後方へ手を回すだけで、薬剤の調製を行うことができるため、暴露防止具１を備えない安全キャビネット等を用いる場合と同様の作業性を確保しながら、薬剤の飛散から作業者を守ることができる。
【００３２】
遮蔽板１１の後方に両手を回したら、一方の手に持った薬剤密封容器Ａを、横倒しにしてその周面をバイアル台１６の凹部１６ａ（又は１６ｂ）に載置する。こうすることで、薬剤密封容器Ａが手振れせず針の誤操作による暴露事故を抑制できる。また、シリンジ針を薬剤密封容器Ａの蓋に抜き差しする位置を、シート露出用開口部１２ａの直上に案内できるため、薬剤の調製時にシリンジ針を薬剤密封容器Ａの蓋に刺した個所から漏れ出た薬液を保護シートで捕捉でき、漏れ出た薬剤の蒸気やガス等をシート露出用開口部１２ａの後方に位置する間隙１８から排気口１３ｄを介して、下部空間７へ排出できる
【００３３】
また、吸込み口１２ｂ（吸込み部１３）は、シート交換扉１４で上方を覆うことにより、不用意に飛散した薬液が吸込み部内部に入ることを抑制できる。
【００３４】
以上、本発明は、上記の実施形態に限らず、例えば、暴露防止用キャビネットは、作業用開口部が同様の気流によりエアシールドされるものであれば、安全キャビネットに限らず、有機溶剤を取り扱ういわゆる局所配置装置の他、アイソレーター等、同様の構成を備えるものを適宜に使用できる。暴露防止具は、上述した本発明者の先の出願にあるように、上端に後方へ傾斜する傾斜部を備えてもよい。吸込み部や、取付け体は、後方ではなく、前方、左方又は右方に排気口を設けてもよい。本発明の暴露防止具は、バイアル台を備えなくともよいし、シート交換扉やシート露出用開口を備えなくともよい。吸込み部１３、暴露防止具用吸引口６は、平面視で正方形に限られない。シート交換用扉は、後方へ跳ね上がるのではなく側方へ跳ね上げるようにしてもよい。
【符号の説明】
【００３５】
暴露防止具付キャビネット１００
暴露防止用キャビネット１０
暴露防止具１
遮蔽板１１
支持板１２
吸込み口１２ｂ
吸込み部１３
底壁１３ｃ
排気口１３ｄ
シート交換扉１４
蝶番１４ａ
シート押さえ１４ｆ
作業室３
作業用開口部４
作業台５
前縁吸引口５１ａ
暴露防止具用吸引口６
下部空間７
保護シートＣ，Ｄ
【図１】
2020028818.tif 000003
【図２】
2020028818.tif 000004
【図３】
2020028818.tif 000005
【図４】
2020028818.tif 000006
【図５】
2020028818.tif 000007
【図６】
2020028818.tif 000008
【図７】
2020028818.tif 000009
【図８】
2020028818.tif 000010
【図９】
2020028818.tif 000011
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットの前記作業室に設置して、薬剤や有機溶剤の調製を行う際に使用可能な暴露防止具であって、
前記前縁吸引口と前記暴露防止具用吸引口とを前後に仕切るように立設される透明な遮蔽板と、
前記遮蔽板の下端から後方へ延出するとともに厚み方向に貫通する吸込み口を有する支持板と、
前記吸込み口の周縁において、前記支持板から下方へ延出するとともに前記暴露防止具用吸引口へ刺し込み可能な有底筒状の吸込み部とを備え、
前記吸込み部の側壁に排気口が設けられていることを特徴とする暴露防止具。
【請求項２】
前記吸込み口を開閉するシート交換扉を備える請求項１に記載の暴露防止具。
【請求項３】
前記シート交換扉は、前記支持板に連結されて、前記吸込み口を閉じる水平姿勢と、前記吸込み口を開放する跳ね上げ姿勢との間で回動可能に構成され、水平姿勢において前記吸込み部の底壁に載置した保護シートを押さえるべく内面から突出するシート押さえを備える請求項２に記載の暴露防止具。
【請求項４】
前記遮蔽板は、前記遮蔽板の後方を覗くための拡大鏡を備える請求項１から請求項３のいずれか１項に記載の曝露防止具。
【請求項５】
前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から前記作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットと、
前記暴露防止用キャビネットの前記作業室に設置して、薬剤や有機溶剤の調製を行う際に使用可能な暴露防止具と
を備え、
前記暴露防止具は、前記前縁吸引口と前記暴露防止具用吸引口とを前後に仕切るように立設される透明な遮蔽板と、前記遮蔽板の下端から後方へ延出するとともに厚み方向に貫通する吸込み口を有する支持板と、前記吸込み口の周縁において、前記支持板から下方へ延出するとともに前記前記暴露防止具用吸引口へ刺し込み可能な有底筒状の吸込み部とを備え、前記吸込み部の側壁に排気口が設けられていることを特徴とする暴露防止具付キャビネット。
【手続補正２】
【補正対象書類名】明細書
【補正対象項目名】０００８
【補正方法】変更
【補正の内容】
【０００８】
上記の課題を解決するためになされた発明は、前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットの前記作業室に設置して、薬剤や有機溶剤の調製を行う際に使用可能な暴露防止具であって、前記前縁吸引口と前記暴露防止具用吸引口とを前後に仕切るように立設される透明な遮蔽板と、前記遮蔽板の下端から後方へ延出するとともに厚み方向に貫通する吸込み口を有する支持板と、前記吸込み口の周縁において、前記支持板から下方へ延出するとともに前記暴露防止具用吸引口へ刺し込み可能な有底筒状の吸込み部とを備え、前記吸込み部の側壁に排気口が設けられていることを特徴とする
。
【手続補正３】
【補正対象書類名】明細書
【補正対象項目名】００１３
【補正方法】変更
【補正の内容】
【００１３】
本発明は、前方に作業用開口部を有する作業室と、前記作業室の底壁からなる作業台の前縁に沿って設けられる前縁吸引口と、前記前縁吸引口より後方において前記作業台を貫通する暴露防止具用吸引口とを備え、前記作業用開口部から前記作業室へ流入する外部の空気と、前記作業室内の空気とを前記前縁吸引口から前記作業台の下部空間へ吸引することにより設けた気流により前記作業用開口部をシールドするとともに、前記暴露防止具用吸引口から前記作業室内の空気を前記下部空間へ吸引するよう構成された暴露防止用キャビネットと、前記暴露防止用キャビネットの前記作業室に設置して、薬剤や有機溶剤の調製を行う際に使用可能な暴露防止具とを備え、前記暴露防止具は、前記前縁吸引口と前記暴露防止具用吸引口とを前後に仕切るように立設される透明な遮蔽板と、前記遮蔽板の下端から後方へ延出するとともに厚み方向に貫通する吸込み口を有する支持板と、前記吸込み口の周縁において、前記支持板から下方へ延出するとともに前記前記暴露防止具用吸引口へ刺し込み可能な有底筒状の吸込み部とを備え、前記吸込み部の側壁に排気口が設けられていることを特徴とする暴露防止具付キャビネットを含む。